(57)【要約】【課題】汎用性が高く、プレスフィット作業の作業性を良好にするプレスフィット装置用バックアップ治具を提供する。【解決手段】プリント基板３の電子部品２が圧入される側と反対側に配置された基板用バックアップ治具本体６と、基板用バックアップ治具本体６の任意の位置に着脱自在に設けられると共に、実装済部品４の突出長より長く形成された位置決め用パーツ７とからなる基板用バックアップ治具１８を備え、位置決め用パーツ７を、プリント基板３から突出した実装済部品４の近傍に位置するように基板用バックアップ治具本体６に配置し、その配置した位置決め用パーツ７の先端面７ａで、プリント基板３を保持するようにした。【選択図】図１
2011091098.tif 000002
【特許請求の範囲】
【請求項１】
プレスフィット装置の上下のプレス板間に、プリント基板とそのプリント基板に接続ピンを介して圧入される電子部品とを配置し、前記プレスフィット装置にて前記電子部品を前記プリント基板に圧入する際に、前記プリント基板から突出する実装済部品を収容して前記プリント基板を支持するためのプレスフィット装置用バックアップ治具において、
前記プリント基板の前記電子部品が圧入される側と反対側に配置された基板用バックアップ治具本体と、前記基板用バックアップ治具本体の任意の位置に着脱自在に設けられると共に、前記実装済部品の突出長より長く形成された位置決め用パーツとからなる基板用バックアップ治具を備え、前記位置決め用パーツを、前記プリント基板から突出した前記実装済部品の近傍に位置するように前記基板用バックアップ治具本体に配置し、その配置した前記位置決め用パーツの先端面で、前記プリント基板を保持するようにしたことを特徴とするプレスフィット装置用バックアップ治具。
【請求項２】
前記基板用バックアップ治具本体には、多数のピン用穴が整列して形成され、前記位置決め用パーツは、前記先端面を有する支持体と、該支持体に設けられ前記ピン用穴に挿入される１つ以上のピンとからなる請求項１記載のプレスフィット装置用バックアップ治具。
【請求項３】
前記位置決め用パーツは、そのピンを前記実装済部品を避けた位置の前記基板用バックアップ治具本体のピン用穴に挿入して、前記基板用バックアップ治具本体に着脱自在に配置される請求項２記載のプレスフィット装置用バックアップ治具。
【請求項４】
前記基板用バックアップ治具は、前記プレスフィット装置の下のプレス板に固定されて前記プリント基板の下面を支持するようにされ、
前記プレスフィット装置の上のプレス板に、前記プリント基板から突出する前記実装済部品を避けて前記電子部品を圧入するための電子部品用バックアップ治具を設けた請求項１〜３いずれかに記載のプレスフィット装置用バックアップ治具。
【請求項５】
前記電子部品用バックアップ治具は、中央部に凹溝が形成されると共に、その凹溝に開口する多数のピン部用穴が形成された電子部品用バックアップ治具本体と、該電子部品用バックアップ治具本体の前記ピン部用穴に前記凹溝側から挿入されて前記電子部品用バックアップ治具本体に支持される頭付きバックアップピンとからなり、その頭付きバックアップピンを前記プリント基板から突出する前記実装済部品を避けた位置の前記ピン部用穴に配置すると共に、前記電子部品用バックアップ治具本体の前記凹溝側を前記上のプレス板に固定し、前記頭付きバックアップピンで前記電子部品を押圧して前記プリント基板に圧入するようにした請求項４記載のプレスフィット装置用バックアップ治具。
【発明の詳細な説明】
【技術分野】
【０００１】
本発明は、プリント基板にコネクタ等の電子部品を圧入する際に用いるプレスフィット装置用バックアップ治具に関するものである。
【背景技術】
【０００２】
最近においては、プリント基板に電子部品を実装した後、そのプリント基板に圧入コネクタなどの電子部品を圧入することで、半田付けすることなく、プリント基板と圧入コネクタなどの電子部品との電気的接触を実現するプレスフィット装置が使用されている。
【０００３】
図４は、従来のプレスフィット装置による電子部品の圧入を説明する説明図である。
【０００４】
図４に示すように、プレスフィット装置１は、上下のプレス板１ａ，１ｂを有している。上のプレス板１ａは油圧プレス（図示せず）に接続されており、油圧プレスにより、上方より下方に加圧され、下のプレス板１ｂと平行を保ちながら、下方（下のプレス板１ｂ側）へ向かい下がるようになっている。
【０００５】
プリント基板３に電子部品（例えば、圧入コネクタ）２を圧入する際には、プレスフィット装置１の上下のプレス板１ａ，１ｂ間にプリント基板３を配置すると共に、その上方に電子部品２を配置し、上のプレス板１ａを下げる。すると、プレス板１ａの平坦部が電子部品２に接触し、上のプレス板１ａの平坦部に接触した電子部品２も同様に下方へ下がり、電子部品２はプリント基板３の決められた位置へ圧入される。
【０００６】
このとき、プリント基板３は、下のプレス板１ｂに支持されることになるが、プリント基板３上には実装済部品４がすでに搭載されているので、実装済部品４の破損を避けるため平面（下のプレス板１ｂの平坦部）でうけることができない。
【０００７】
そこで、プレスフィット装置１の下のプレス板１ｂとプリント基板３との間に、プレスフィット装置用バックアップ治具（以下、バックアップ治具という）５を配置する。バックアップ治具５には、プリント基板３から突出する実装済部品４を収容する凹溝５ａが形成され、上面５ｂでプリント基板３を支持するようにされる。バックアップ治具５を下のプレス板１ｂに固定し、プリント基板３の下面から突出する実装済部品４を凹溝５ａに収容して、プリント基板３をバックアップ治具５で支持することで、実装済部品４を破損しないように電子部品２の圧入作業をすることが可能になる。
【先行技術文献】
【特許文献】
【０００８】
【特許文献１】実開平６−５２１９７公報
【特許文献２】特開平８−２７９６９５公報
【特許文献３】特開２０００−３２３８９７公報
【特許文献４】特開２００８−２８２８９２公報
【発明の概要】
【発明が解決しようとする課題】
【０００９】
しかしながら、上記バックアップ治具５は、実装済部品４が搭載されたプリント基板３毎に、実装済部品４の高さや位置に応じて掘り込み加工を行い凹溝５ａを形成するため、プリント基板３の種類数分必要となり、製作に時間と多大な費用が発生する問題がある。
【００１０】
すなわち、実装済部品４の高さや位置を変更する場合、バックアップ治具５全体を加工しなおす必要が発生し、修正に製作時と同様な時間と、場合によっては多大な費用が発生する問題がある。
【００１１】
最近においては、プリント基板（製品）３はもとより、製品に搭載される実装済部品４のライフサイクルも短くなったことから、製品の性能向上や後継機種開発時に、一部の実装済部品４のみ形状変更することがある。しかし、上述のようにバックアップ治具５がプリント基板３個々に対応した一体成型である場合、全体を見直しする（つまり、新たなバックアップ治具５を作製する）必要が発生する。
【００１２】
そこで、本発明の目的は、上記課題を解決し、汎用性が高く、プレスフィット作業の作業性を良好にするプレスフィット装置用バックアップ治具を提供することにある。
【課題を解決するための手段】
【００１３】
プレスフィット装置の上下のプレス板間に、プリント基板とそのプリント基板に接続ピンを介して圧入される電子部品とを配置し、前記プレスフィット装置にて前記電子部品を前記プリント基板に圧入する際に、前記プリント基板から突出する実装済部品を収容して前記プリント基板を支持するためのプレスフィット装置用バックアップ治具において、前記プリント基板の前記電子部品が圧入される側と反対側に配置された基板用バックアップ治具本体と、前記基板用バックアップ治具本体の任意の位置に着脱自在に設けられると共に、前記実装済部品の突出長より長く形成された位置決め用パーツとからなる基板用バックアップ治具を備え、前記位置決め用パーツを、前記プリント基板から突出した前記実装済部品の近傍に位置するように前記基板用バックアップ治具本体に配置し、その配置した前記位置決め用パーツの先端面で、前記プリント基板を保持するようにしたプレスフィット装置用バックアップ治具である。
【００１４】
前記基板用バックアップ治具本体には、多数のピン用穴が整列して形成され、前記位置決め用パーツは、前記先端面を有する支持体と、該支持体に設けられ前記ピン用穴に挿入される１つ以上のピンとからなるとよい。
【００１５】
前記位置決め用パーツは、そのピンを前記実装済部品を避けた位置の前記基板用バックアップ治具本体のピン用穴に挿入して、前記基板用バックアップ治具本体に着脱自在に配置されるとよい。
【００１６】
前記基板用バックアップ治具は、前記プレスフィット装置の下のプレス板に固定されて前記プリント基板の下面を支持するようにされ、前記プレスフィット装置の上のプレス板に、前記プリント基板から突出する前記実装済部品を避けて前記電子部品を圧入するための電子部品用バックアップ治具を設けるとよい。
【００１７】
前記電子部品用バックアップ治具は、中央部に凹溝が形成されると共に、その凹溝に開口する多数のピン部用穴が形成された電子部品用バックアップ治具本体と、該電子部品用バックアップ治具本体の前記ピン部用穴に前記凹溝側から挿入されて前記電子部品用バックアップ治具本体に支持される頭付きバックアップピンとからなり、その頭付きバックアップピンを前記プリント基板から突出する前記実装済部品を避けた位置の前記ピン部用穴に配置すると共に、前記電子部品用バックアップ治具本体の前記凹溝側を前記上のプレス板に固定し、前記頭付きバックアップピンで前記電子部品を押圧して前記プリント基板に圧入するようにするとよい。
【発明の効果】
【００１８】
本発明によれば、プリント基板を支持する位置決め用パーツを、バックアップ治具本体と別体に形成し、前記位置決め用パーツを前記バックアップ治具本体の任意の位置に着脱自在に設けるようにすることで、汎用性が高く、プレスフィット作業の作業性が良好なプレスフィット装置用バックアップ治具が提供できる。
【図面の簡単な説明】
【００１９】
【図１】（ａ）は、本発明の一実施の形態に係るプレスフィット装置用バックアップ治具として、基板用バックアップ治具を用いたプレスフィット装置による電子部品の圧入を説明する説明図であり、（ｂ）はその基板用バックアップ治具の基板用バックアップ治具本体の斜視図であり、（ｃ）はその基板用バックアップ治具の位置決め用パーツの斜視図である。
【図２】（ａ）は、本発明において、プレスフィット装置の上のプレス板に電子部品用バックアップ治具を取り付けたときの断面図、（ｂ）はその分解断面図である。
【図３】（ａ）は、図２の電子部品用バックアップ治具本体の平面図、（ｂ）はその３Ｂ−３Ｂ線断面図である。
【図４】従来のバックアップ治具を用いたプレスフィット装置による電子部品の圧入を説明する説明図である。
【発明を実施するための形態】
【００２０】
以下、本発明の好適な一実施の形態を添付図面にしたがって説明する。
【００２１】
図１（ａ）は、本発明の一実施の形態に係るプレスフィット装置用バックアップ治具（以下、バックアップ治具という）を用いたプレスフィット装置による電子部品の圧入を説明する説明図である。
【００２２】
図１（ａ）に示すように、バックアップ治具８は、プレスフィット装置１の上下のプレス板１ａ，１ｂ間にプリント基板３と、その上方にプリント基板３に接続ピン２ａを介して圧入される電子部品２とを配置し、プレスフィット装置１にて電子部品２をプリント基板３に圧入する際に、プリント基板３から突出する実装済部品４を収容してプリント基板３を支持するための基板用バックアップ治具１８を備える。
【００２３】
基板用バックアップ治具１８は、基板用バックアップ治具本体６と、基板用バックアップ治具本体６の任意の位置に着脱自在に設けられる位置決め用パーツ７とからなる。
【００２４】
図１（ｂ）に示すように、基板用バックアップ治具本体６は板状に形成され、その上面に複数のピン用穴９が整列して形成される。本実施の形態では、上面視で円形のピン用穴９を、縦横に一定間隔で形成している。ピン用穴９は基板用バックアップ治具本体６を貫通していてもよいし、貫通していなくてもよい。
【００２５】
本実施の形態では、ピン用穴９を円形としたが、位置決め用パーツ７の回転を防ぐため、異形（例えば、上面視で三角形、四角形、楕円形、扇形など）で一律に方向の定まる形状としてもよい。
【００２６】
図１（ｃ）に示すように、位置決め用パーツ７は、プリント基板３を支持する先端面７ａを有する支持体７ｂと、支持体７ｂに設けられる１つ以上のピン７ｃとからなる。
【００２７】
位置決め用パーツ７の支持体７ｂは、例えば、楕円柱状、円柱状、三角柱状、四角柱状、もしくはそれらを複数個組み合わせた形状に形成され、その上面（ピン７ｃを形成した面と反対側の面）がプリント基板３を支持する先端面７ａとなる。支持体７ｂの形状はこれに限定されず、プリント基板３の下面から突出する実装済部品４の形状に応じた任意の形状としてもよい。実装済部品４の一例としては、コンデンサ、抵抗などがあげられる。
【００２８】
また、ピン７ｃは、基板用バックアップ治具本体６のピン用穴９の形状と対応させた形状（ここでは円柱状）に形成する。
【００２９】
基板用バックアップ治具本体６及び位置決め用パーツ７の支持体７ｂの材質としては、プレスフィット装置１による圧力に十分耐えうる硬度のある材料、例えば、ＳＵＳを用いる。
【００３０】
位置決め用パーツ７は、そのピン７ｃを基板用バックアップ治具本体６のピン用穴９に挿入して、基板用バックアップ治具本体６の上面に着脱自在に配置される。位置決め用パーツ７の基板用バックアップ治具本体６からの突出長（支持体７ｂの高さ）は、実装済部品４の突出長よりも長く形成される。
【００３１】
位置決め用パーツ７は、実装済部品４の近傍に位置するように基板用バックアップ治具本体６に配置される。
【００３２】
本発明のバックアップ治具８を用いて電子部品２をプリント基板３に圧入する際は、先に基板用バックアップ治具本体６と位置決め用パーツ７とを組み合わせて基板用バックアップ治具１８を構成しておき、基板用バックアップ治具１８の基板用バックアップ治具本体６をプレスフィット装置１の下のプレス板１ｂにねじ止めなどで固定する。
【００３３】
構成した基板用バックアップ治具１８を固定した後、プリント基板３を基板用バックアップ治具１８上に載置する。このとき、プリント基板３は位置決め用パーツ７の先端面７ａで保持されて位置決めされる。
【００３４】
その上方に、プリント基板３に接続ピン２ａを介して圧入される電子部品２をプリント基板３の圧入される位置に配置する。ここでは、電子部品２を圧入コネクタ２とする。
【００３５】
プレスフィット装置１の上のプレス板１ａを、上方より下方に加圧し、下のプレス板１ｂと平行を保ちながら下方に下げると、上のプレス板１ａの平坦部が圧入コネクタ２に接触する。すると、上のプレス板１ａの平坦部に接触している圧入コネクタ２も同様に下方へ下がり、圧入コネクタ２をプリント基板３の決められた位置へ圧入する。
【００３６】
本実施の形態の作用を説明する。
【００３７】
本実施の形態に係るバックアップ治具８は、プリント基板３の圧入コネクタ２が圧入される側と反対側に配置された基板用バックアップ治具本体６と、基板用バックアップ治具本体６の任意の位置に着脱自在に設けられると共に、実装済部品４の突出長より長く形成された位置決め用パーツ７とからなる基板用バックアップ治具１８を備え、位置決め用パーツ７を、プリント基板３から突出した実装済部品４の近傍に位置するように基板用バックアップ治具本体６に配置し、その配置した位置決め用パーツ７の先端面７ａで、プリント基板３を保持するようにしている。
【００３８】
本発明によれば、プリント基板３を支持する位置決め用パーツ７を、基板用バックアップ治具本体６と別体に形成し、位置決め用パーツ７を基板用バックアップ治具本体６の任意の位置に着脱自在に設けるようにすることで、色々な種類のプリント基板３に対応できる。よって、実装済部品４の高さや位置に応じて掘り込み加工を行う必要がなくなり、製作に時間と多大な費用がかからない。
【００３９】
また、実装済部品４の高さや位置を変更する場合に、バックアップ治具８全体を加工しなおす必要がなくなるため、バックアップ治具８の修正にかかる時間と費用も削減でき、実装済部品４のライフサイクルが短くなったことにも対応可能になる。つまり、汎用性が高く、プレスフィット作業の作業性が良好なプレスフィット装置用バックアップ治具８が提供できる。
【００４０】
上記実施の形態では、先に基板用バックアップ治具本体６と位置決め用パーツ７を組み合わせて基板用バックアップ治具１８を構成しておき、それから基板用バックアップ治具１８の基板用バックアップ治具本体６を下のプレス板１ｂに固定したが、基板用バックアップ治具本体６を下のプレス板１ｂに固定してから、位置決め用パーツ７を基板用バックアップ治具本体６に配置するようにしてもよい。
【００４１】
また、上記実施の形態では、プレスフィット装置１の上のプレス板１ａで圧入コネクタ２をプリント基板３に圧入するようにしたが、これに限らず、例えばプリント基板３の上面から突出する実装済部品４があるなど、上のプレス板１ａで直接圧入コネクタ２を押圧できない場合は、さらに上のプレス板１ａにも電子部品用バックアップ治具２８を備えてもよい。
【００４２】
図２（ａ），（ｂ）に示すように、電子部品用バックアップ治具２８は、電子部品用バックアップ治具本体２６と、頭付きバックアップピン２７とからなる。
【００４３】
電子部品用バックアップ治具本体２６は、中央部に凹溝２６ａが形成され、その凹溝２６ａには多数のピン部用穴２９が形成される。
【００４４】
図３（ａ）に示すように、凹溝２６ａに形成されたピン部用穴２９は、上面視で円形に、縦横に一定間隔で形成される。ピン部用穴２９は、電子部品用バックアップ治具本体２６を貫通するように形成される。
【００４５】
ピン部用穴２９には、凹溝２６ａ側から頭付きバックアップピン２７が挿入される。頭付きバックアップピン２７は、頭部２７ｂとピン部２７ｃとからなり、ピン部２７ｃには先端面２７ａが形成される。
【００４６】
頭付きバックアップピン２７の先端面２７ａは、ピン部２７ｃの先端部に形成されており、この先端面２７ａで圧入コネクタ２を押圧するようにされる。
【００４７】
頭付きバックアップピン２７の頭部２７ｂは、ピン部用穴２９の径より大きく形成され、頭部２７ｂの高さは、電子部品用バックアップ治具２８の凹溝２６ａの深さと等しく、もしくは低く形成される。頭付きバックアップピン２７は、頭部２７ｂがピン部用穴２９にひっかかって電子部品用バックアップ治具本体２６から抜けないようになっている。
【００４８】
頭付きバックアップピン２７のピン部２７ｃは、電子部品用バックアップ治具２８のピン部用穴２９の形状と対応させ、円柱状に形成する。ピン部２７ｃの径も、ピン部用穴２９の径と略等しく形成する。
【００４９】
頭付きバックアップピン２７はプリント基板３の実装済部品４を避けて、プリント基板３の圧入コネクタ２が圧入される位置上のピン部用穴２９に配置される。
【００５０】
電子部品用バックアップ治具本体２６は、凹溝２６ａ側をプレスフィット装置２１の上のプレス板２１ａに形成されたねじ用穴１０に、ねじ１１を用いて固定される。
【００５１】
電子部品用バックアップ治具２８をさらに備えることによって、プレスフィット装置２１を用いて圧入コネクタ２をプリント基板３に圧入接続する際、プリント基板３全体に対し、上下方向の圧入力が加わるが、上のプレス板２１ａにも電子部品用バックアップ治具２８を取り付け可能としたので、プレスフィット装置２１からの圧入力を、電子部品用バックアップ治具２８の頭付きバックアップピン２７を取り付けた所定の領域のみに加わるようにすることができる。
【００５２】
したがって、プリント基板３に圧入される圧入コネクタ２以外の他の実装済部品４へ力が加わることをなくすことができ、実装済部品４の破損等をなくすことができる。
【符号の説明】
【００５３】
１  プレスフィット装置
１ａ  上のプレス板
１ｂ  下のプレス板
２  電子部品（圧入コネクタ）
３  プリント基板
４  実装済部品
６  基板用バックアップ治具本体
７  位置決め用パーツ
７ａ  先端面
７ｂ  支持体
７ｃ  ピン
８  バックアップ治具
９  ピン用穴
１８  基板用バックアップ治具
【図１】
2011091098.tif 000003
【図２】
2011091098.tif 000004
【図３】
2011091098.tif 000005
【図４】
2011091098.tif 000006